(57)【特許請求の範囲】
【請求項１】
イオン交換樹脂を収容したバッグがアウタケース内に格納されてなるイオン交換樹脂パッケージであって、
該バッグの上下の一方に設けられた樹脂出入口及び他方に設けられた注水口と、
該注水口に着脱可能に装着されたキャップと、
該樹脂出入口に設けられたシールと、
を備えており、
前記樹脂出入口をイオン交換装置のカラムに接続し、注水口から水を供給して、イオン交換樹脂をカラムに充填する形態にて使用されることを特徴とするイオン交換樹脂パッケージ。
【請求項２】
請求項１において、前記樹脂出入口は、出入口本体と、該出入口本体を囲む鞘管とを有した二重管構造となっており、
前記シールは該鞘管の先端面に接着され、該出入口本体の先端面には非接着となっていることを特徴とするイオン交換樹脂パッケージ。
【請求項３】
請求項２において、該シールにはティアラインが設けられていることを特徴とするイオン交換樹脂パッケージ。
【請求項４】
請求項１ないし３のいずれか１項において、前記注水口にイオン交換樹脂の流出を防止するためのメッシュが設けられていることを特徴とするイオン交換樹脂パッケージ。
【請求項５】
請求項１ないし４のいずれか１項において、前記アウタケースの上面及び下面には、前記樹脂出入口又は注水口に臨む位置に開放口を形成するための開放口形成手段が設けられていることを特徴とするイオン交換樹脂パッケージ。
【請求項６】
請求項５において、開放口形成手段はミシン目であることを特徴とするイオン交換樹脂パッケージ。
【請求項７】
請求項１ないし６のいずれか１項において、前記アウタケース内に、バッグの前記樹脂出入口側に被さる漏斗形サポータが配置されていることを特徴とするイオン交換樹脂パッケージ。
【発明の詳細な説明】
【技術分野】
【０００１】
本発明は、イオン交換装置のカラム等にイオン交換樹脂を充填してイオン交換装置を製作する方法に用いられるイオン交換樹脂パッケージに係り、特に該パッケージ内からイオン交換樹脂がカラム等に供給されるイオン交換樹脂パッケージに関する。
【背景技術】
【０００２】
イオン交換装置として、カラムにイオン交換樹脂を充填したものが広く用いられている。従来、イオン交換装置のカラム内に粒状（例えば平均粒径約０．５ｍｍ程度）のイオン交換樹脂を充填する場合、イオン交換樹脂が入ったビニール袋を開封し、容器に移し替え、この容器に水を注入してイオン交換樹脂のスラリーを作成し、このスラリーをカラム内に供給するようにしている。
【０００３】
この作業は、大気中で行われるため、大気中の埃などの不純物がイオン交換樹脂に混入してしまう。このような不純物の混入が超純水製造装置のポリッシャーで生じると、超純水の水質低下を招くことになる。
【０００４】
特許文献１には、このような空気中の埃によるイオン交換樹脂の汚染が防止されるイオン交換装置の製作方法として、イオン交換樹脂の充填工程をクリーンルーム内で行う方法が記載されている。
【先行技術文献】
【特許文献】
【０００５】
【特許文献１】特開２０１１−１１１２０
【発明の概要】
【発明が解決しようとする課題】
【０００６】
上記のようにイオン交換樹脂の充填をクリーンルームで行えば、不純物混入は防止されるが、クリーンルームの無い現場等では採用することができない。
【０００７】
本発明は、イオン交換装置のカラムにイオン交換樹脂を簡単に、また不純物を混入させることなく充填することができるイオン交換樹脂パッケージを提供することを目的とする。
【課題を解決するための手段】
【０００８】
請求項１のイオン交換樹脂パッケージは、イオン交換樹脂を収容したバッグがアウタケース内に格納されてなるイオン交換樹脂パッケージであって、該バッグの上下の一方に設けられた樹脂出入口及び他方に設けられた注水口と、該注水口に着脱可能に装着されたキャップと、該樹脂出入口に設けられたシールと、を備えており、前記樹脂出入口をイオン交換装置のカラムに接続し、注水口から水を供給して、イオン交換樹脂をカラムに充填する形態にて使用されることを特徴とするものである。
【０００９】
請求項２のイオン交換樹脂パッケージは、請求項１において、前記樹脂出入口は、出入口本体と、該出入口本体を囲む鞘管とを有した二重管構造となっており、前記シールは該鞘管の先端面に接着され、該出入口本体の先端面には非接着となっていることを特徴とするものである。
【００１０】
請求項３のイオン交換樹脂パッケージは、請求項２において、該シールにはティアラインが設けられていることを特徴とするものである。
【００１１】
請求項４のイオン交換樹脂パッケージは、請求項１ないし３のいずれか１項において、前記注水口にイオン交換樹脂の流出を防止するためのメッシュが設けられていることを特徴とするものである。
【００１２】
請求項５のイオン交換樹脂パッケージは、請求項１ないし４のいずれか１項において、前記アウタケースの上面及び下面には、前記樹脂出入口又は注水口に臨む位置に開放口を形成するための開放口形成手段が設けられていることを特徴とするものである。
【００１３】
請求項６のイオン交換樹脂パッケージは、請求項５において、開放口形成手段はミシン目であることを特徴とするものである。
【００１４】
請求項７のイオン交換樹脂パッケージは、請求項１ないし６のいずれか１項において、前記アウタケース内に、バッグの前記樹脂出入口側に被さる漏斗形サポータが配置されていることを特徴とするものである。
【発明の効果】
【００１５】
本発明のイオン交換樹脂パッケージは、バッグをアウタケース内に配置したまま、該樹脂出入口をイオン交換装置のカラムに接続し、イオン交換樹脂をカラムに充填することができる。この際、注水口から超純水を供給することにより、イオン交換樹脂をスムーズにカラムに充填することができる。
【００１６】
樹脂出入口を出入口本体及び鞘管の二重管構造とし、シールを鞘管の先端面にのみ接着させておくと、カラム側に設けられた受入管を該出入口本体に外嵌させるようにして樹脂出入口に接続し、イオン交換樹脂をカラムに充填することができる。
【００１７】
シールにティアラインを設けておくと、シールを規定形状に開裂させることができる。
【００１８】
注水口にメッシュを設けておくと、樹脂出入口からイオン交換樹脂のスラリーをバッグ内に供給し、注水口から水を流出させることにより、バッグ内にイオン交換樹脂を充填することができる。
【００１９】
アウタケースの上面及び下面にミシン目等の開放口形成手段を設けておくと、アウタケースの上下両面に開放口を開けて容器へのイオン交換樹脂充填作業を行うことができる。この場合、アウタケースの下面全体を開放させないように開放口大きさを小さく設定しておくことにより、アウタケースからバッグが抜け落ちることが防止される。
【図面の簡単な説明】
【００２０】
【図１】実施の形態に係るイオン交換樹脂パッケージの分解斜視図である。
【図２】バッグの分解斜視図である。
【図３】バッグの樹脂出入口付近の斜視図である。
【図４】バッグの樹脂出入口付近の断面図である。
【図５】バッグの注水口付近の断面図である。
【図６】イオン交換樹脂パッケージの斜視図である。
【図７】カラムへのイオン交換樹脂充填方法を説明する斜視図である。
【図８】カラムへのイオン交換樹脂充填方法を説明する断面図である。
【発明を実施するための形態】
【００２１】
以下、図面を参照して実施の形態について説明する。
【００２２】
図１はイオン交換樹脂パッケージの分解斜視図である。図１の通り、このイオン交換樹脂パッケージ１は、箱形のアウタケース２と、該アウタケース２内に収容されたバッグ３及び漏斗形サポータ４とを備えている。アウタケース２は、フラップ２ａを有した段ボール箱などよりなる。サポータ４は、テーパ部４ａと、該テーパ部４ａの小径側に連なる円筒部４ｂとを有している。
【００２３】
バッグ３は、イオン交換樹脂（以下、単に樹脂ということがある。）を収容したものであり、ビニールなど非透水性合成樹脂製の袋よりなる。このバッグ３の上部にイオン交換樹脂出入口５が設けられ、該樹脂出入口５がシール６で封じられている。バッグ３の下部に注水口７が設けられ、着脱可能にキャップ８が装着されている。なお、図１では樹脂出入口５がバッグ３の上側に存在しているが、イオン交換樹脂をカラム等に充填するときには上下逆とされる。
【００２４】
図２〜４に示す通り、樹脂出入口５は、円筒状の出入口本体１０と、該出入口本体１０を取り巻く大径円筒状の鞘管１１とを有した二重管構造となっている。出入口本体１０と鞘管１１との間にはスペースが存在する。
【００２５】
シール６は、合成樹脂シートよりなる円形のものであり、鞘管１１の先端面に接着剤Ｓによって水密的に接着されている。シール６は出入口本体１０の先端面には接着されていない。シール６には、直径方向（放射方向）に延在するティアライン６ａが複数条設けられている。このティアライン６ａは浅い溝よりなるものである。シール６は、後述のカラムのイオン交換樹脂受入管３１で押されたときにティアライン６ａに沿って規定形状（この実施の形態では８枚の三角形の舌片状）に開裂する。
【００２６】
図２，５に示すように、注水口７は、バッグ３に連なる円筒状の注水口本体１３と、該注水口本体１３の先端面に重なるメッシュ１４と、該メッシュ１４を押える円筒状のホルダ１５と、該ホルダ１５に螺着されたキャップ８とを備えている。注水口本体１３の外周面に雄ネジが設けられ、ホルダ１５の内周面に設けられた雌ネジを螺合させることによりホルダ１５が注水口本体１３に固着される。
【００２７】
ホルダ１５の先端面には内向き鍔部１５ａ（図５）が設けられており、該内向き鍔部１５ａによってメッシュ１４を押えるよう構成されている。メッシュ１４は、バッグ３内の粒状イオン交換樹脂の流出を防ぐためのものであり、注水口本体１３の開口面の全体を覆っている。キャップ８は、ホルダ１５の先端側外周面の雄ネジに螺着されている。
【００２８】
バッグ３内にイオン交換樹脂を充填するときは、クリーンルーム内で行い、注水口７からキャップ８を外し、注水口７を下側にし、樹脂出入口５を上向きにしてバッグ３を設置する。シール６はまだ樹脂出入口５に貼ってない。
【００２９】
この状態で、イオン交換樹脂のスラリーを樹脂出入口５からバッグ３内に導入し、水を注水口７から流出させる。この作業を継続することにより、バッグ３内がイオン交換樹脂Ｒ（図８）で満たされる。その後、注水口７にキャップ８を装着する。また、樹脂出入口５にシール６を接着し、密閉する。
【００３０】
このイオン交換樹脂を収容したバッグ３を図１の通りアウタケース２内に上方から納め込む。なお、アウタケース２の底面のフラップ２ａは予め閉じて封止しておく。アウタケース２内にバッグ３を納め込んだ後、サポータ４を図１の通り円筒部４ｂを上側にしてバッグ３に被せる。この際、サポータ４の円筒部４ｂを樹脂出入口５に外嵌させる。その後、上面側のフラップ２ａを閉じ、接着剤や粘着テープなどによってフラップ２ａを封止する。
【００３１】
これによって、図６に示すイオン交換樹脂パッケージ１となる。図６では、サポータ４がアウタケース２内の上側に位置している。イオン交換樹脂パッケージ１の運搬、保管もこの姿勢にて行う。
【００３２】
図６に示すように、アウタケース２の上面及び底面の中央部には、それぞれ囲枠状にミシン目２０が設けられている。このミシン目に沿って開裂させることにより、アウタケース２の上面及び底面に、樹脂出入口５又は注水口７に臨むように所定大きさの開放口２１（図７，８）を形成することが可能である。この開放口２１を通してイオン交換樹脂のカラムへの供給や、注水口７への超純水配管の接続などを行う。
【００３３】
このイオン交換樹脂パッケージ１を用いてイオン交換装置のカラム３０にイオン交換樹脂を充填する作業方法について図７，８を参照して説明する。
【００３４】
このイオン交換樹脂の充填を行う場合、イオン交換樹脂パッケージ１を図１〜６とは上下逆にする。また、イオン交換樹脂パッケージ１の上下両面をミシン目２０に沿って破り、開放口２１を設ける。開放口２１の開口面積は、アウタケース２１の下面よりも十分に小さいので、イオン交換樹脂パッケージ１を持ち上げてもバッグ３やサポータ４はアウタケース２から脱落しない。
【００３５】
カラム３０の上端からは、上方にイオン交換樹脂受入管３１が突設されており、この受入管３１にバルブ３２が設けられている。
【００３６】
受入管３１の内径は、出入口本体１０の外径よりも若干大きくなっており、受入管３１の外径は、鞘管１１の内径よりも小さいものとなっている。
【００３７】
カラム３０の上方に配置したイオン交換樹脂パッケージ１を徐々に下降させ、樹脂出入口５と受入管３１とを同軸状としてさらにイオン交換樹脂パッケージ１を下降させ、出入口本体１０を受入管３１内に差し込む。この際、シール６は受入管３１に押されてティアライン６ａに沿って複数の舌片状に断裂し、舌片状となったシール６は図８のように出入口本体１０と鞘管１１との間に押し込まれる。
【００３８】
また、イオン交換樹脂パッケージ１の注水口７のキャップ８を取り外し、注水口７に対しカプラ４０を介して超純水配管４１を接続する。なお、超純水配管４１の接続はイオン交換樹脂パッケージ１と受入管３１との連結前に行ってもよく、連結後に行ってもよい。
【００３９】
図８のように樹脂出入口５を受入管３１に接続し、超純水配管４１を注水口７に接続した後、バルブ３２を開け、バッグ３内に超純水を導入する。これにより、バッグ３内のイオン交換樹脂Ｒがカラム３０内に供給される。イオン交換樹脂と共にカラム３０内に導入された超純水は、カラム３０の液取出部から流出する。イオン交換樹脂の充填終了後は、バルブ３２を閉め、イオン交換樹脂パッケージ１を引き上げる。また、注水口７と超純水配管４１との接続を解除する。
【００４０】
このようにして、イオン交換樹脂を外気に晒すことなくバッグ３内に充填し、またバッグ３内のイオン交換樹脂Ｒを外気に晒すことなくカラム３０に充填することができる。また、このイオン交換樹脂の充填に際し、イオン交換樹脂がこぼれ落ちたりすることもない。
【００４１】
この実施の形態では、漏斗形サポータ４をバッグ３に被せており、図８のようにカラム３０へのイオン交換樹脂の充填に際しテーパ部４ａが上開状となるので、バッグ３内のイオン交換樹脂Ｒをバッグ３内に残留させることなくスムーズにカラム３０に移動させることができる。
【００４２】
なお、超純水配管４１から超純水をバッグ３内に注入しなくても、バッグ３内のイオン交換樹脂をカラム３１に移動させることは可能である。
【００４３】
上記実施の形態は本発明の一例であり、本発明は上記実施の形態に限定されるものではない。本発明のイオン交換樹脂パッケージは、カラム以外の容器に対してもイオン交換樹脂を充填することができる。
【符号の説明】
【００４４】
１  イオン交換樹脂パッケージ
２  アウタケース
３  バッグ
４  サポータ
５  樹脂出入口
６  シール
６ａ  ティアライン
７  注水口
８  キャップ
１０  出入口本体
１１  鞘管
３１  イオン交換樹脂受入管
【図１】
0005786404.tif 000002
【図２】
0005786404.tif 000003
【図３】
0005786404.tif 000004
【図４】
0005786404.tif 000005
【図５】
0005786404.tif 000006
【図６】
0005786404.tif 000007
【図７】
0005786404.tif 000008
【図８】
0005786404.tif 000009